(57)【特許請求の範囲】
【請求項１】
流体を案内する弁部品および駆動部品を備えたモジユラー式弁構造体であって、
前記弁部品は、入口部（10ａ）および出口部（10ｂ）を備えた主胴部（10）と、連結インターフエース部（12）とを具備してなり、
前記連結インターフエース部では入口部（10ａ）から延びる入口ダクト（10a'）と出口部（10ｂ）へ延びると共にリブ部（24）により前記入口部（10ａ）から分離された出口ダクト（10b'）との双方が終端し、
前記流体を案内する弁部品の連結インターフエース部（12）は、所定の第１の形状を有し、
弁構造体はさらに、異なる複数の弁構成部品（36、50、70、76、76'）を具備してなり、このそれぞれは所定の第２の形状を有する連結側（12'）を有し、
前記第１および第２の形状は相互に合致し、前記弁構成部品（36、50、70、76、76'）のいずれか一つは自由選択的にかつ交換可能に、流体を案内する弁部品と連結可能であることを特徴とするモジユラー式弁構造体。
【請求項２】
異なる弁構成部品（50、70、76、76'）の連結側（12'）のそれぞれが、同一の所定形状を有する少なくとも１の連結開口部（52、54；72、74；100、102）を有することを特徴とする請求項１の弁構造体。
【請求項３】
異なる弁構成部品は、連結インターフエース部（12）を構成する開口部（26）のリム部（22）およびリブ部（24）と密封係合する直接作動可能な弁部材（36）と、流体を案内する制御ハウジング胴部（50、76、76'）と、センサを収納する中間ハウジング（70）と、ダクト分岐、サンプル収集、材料導入用、計測用の中間ハウジング（70）とを包有し、弁のチヤンバは密封着座部（62、80）を用いて形成されることを特徴とする請求項１あるいは２の弁構造体。
【請求項４】
部品用の中間ハウジング（70）が連結側（12'）との対向側に、所定形状を有する連結インターフエース部（14）を有することを特徴とする請求項３の弁構造体。
【請求項５】
弁構成部品（50、70、76、76'）の少なくとも一以上がモジユラー構造であることを特徴とする請求項１〜３のいずれか１の弁構造体。
【請求項６】
流体を案内する部品用の制御ハウジング胴部（50、76、76'）が連結側（12'）との対向側で駆動部品（60）あるいはパイロツト弁部品（78、78'）と自在に組み合わせ可能な、所定形状を有する連結インターフエース部（15）を有することを特徴とする請求項３の弁構造体。
【請求項７】
主胴部（10）は一本の円筒状の管に充填材料を満たし、その両端部を密封プラグで閉鎖しプレス成形型内に導入し押型を用いて単一の工程で変形することにより作成され、変形工程において管の軸を外側から横断して作用し、管の内部には再成形に必要な圧力が生じ充填材料を介し管の内壁面に伝達され、管の両端部には管状の連結ポート（10ａ、10ｂ）が形成され、且つ弁胴部の床部に相当する管の片側で内側に押され凹湾曲部を有する中間部（10ｃ）が両端部間に形成され、プレス成形型の対向面を用いて管の対向側において管の壁部に平坦部が具備され、平坦部と対向して２個の流体案内面（16、18）が設けられ、流体案内面は連結ポート（10ａ、10ｂ）により定められる軸方向から開始し軸方向内側へ、且つ同時に平坦部へ向けられ且つ平坦部と対向する共通のリブ部（24）で共に収束し、充填材料を除去した後、リブ部（24）と対向する管の変形壁部の、平坦部に相当する部分に連結インターフエース部（12）が形成されることを特徴とする請求項１〜６のいずれか１の弁構造体。
【請求項８】
主胴部（10）が金属材料で作られることを特徴とする請求項７の弁構造体。
【請求項９】
主胴部（10）は連結フランジ（28）を有し、連結フランジに連結インターフエース部（12）が具備されることを特徴とする請求項１〜８のいずれか１の弁構造体。
【発明の詳細な説明】
（技術分野）
本発明は流体案内弁部品および駆動部品を備えたモジユラー式弁構造体に関する。
（背景技術）
駆動部品および弁胴部を備えた従来の弁は特に、用途毎に異なる特殊な弁が必要であり、且つそれに応じ多様の異なる構成部品が必要になる問題点を有していた。この結果部品を製造したり保管するコストが高くなつてもいた。またこのような弁の使用は比較的煩雑であつた。別の問題点として例えば後でセンサを取り付けて制御対象のシステムの実量をフイードバツクして使用するときも、構成が複雑となることが挙げられる。このような取付の場合一般に、弁全体を取り外す必要があり、特に溶接された弁の場合には費用も時間も大幅に掛かることになる。且つセンサシステムの取扱若しくは使用も比較的煩雑になる。同様の問題は計測装置あるいは放出装置を取り付ける場合にも生じている。更に別の問題点は一般に流動媒体の力に抗してそれぞれの弁を閉鎖するために、比較的大きな力が必要になることにある。
（発明の開示）
本発明の目的は、少数の構成部品で構成でき、異なる要件に対しても問題なく適合可能であり、同時に最簡潔に且つ問題なく使用可能なモジユラー式弁構造体を提供することにある。
本発明の目的は、流体を案内する弁部品および駆動部品を備え、流体を案内する弁部品は主胴部および一様の連結インターフエース部を有し、主胴部は入口部および出口部を有し、連結インターフエース部では入口部から延びる連結ダクトと出口部から延びる出口ダクトの両方の端部がリブ部により互いに分離されて端部まで延び、異なる複数の弁構成部品の一が一様に設計された対応する連結側を有し、連結インターフエース部と自由に連結可能にすることにより達成される。この場合、異なる弁構成部品の連結側はそれぞれ一様に設計された少なくとも一の連結開口部を具備させることが好ましい。
上述の構成により、それぞれの弁が最小数の標準モジユールで簡単に組み立てられ得、最良の方法でそれぞれの用途に適したシステムを形成可能に設けられる。摩耗し易い部品を交換する際、それぞれのパイプシステムから流体を案内する弁部品の主胴部を取り外す必要なく可能であり、このことは溶接連結する構成をとる場合に特に利点となるので、使用が簡略化される。更に駆動部品の種類の変更後での変更が問題なく可能になる。
本発明による弁構造体の好適な実施例においては、異なる弁構成部品が、連結インターフエース部を構成する開口部のリム部、リブ部と密封係合する直接作動可能な弁部材と、流体を案内する制御ハウジング胴部と、センサを外囲する中間ハウジングと、ダクト分岐、サンプル収集、材料導入用若しくは計測用の中間ハウジングとを包有し、弁チヤンバ内に密封着座部が設けられる。
従つて僅かな幾つかの標準モジユールのみを用いて、弁構造体を各種に変更可能である。それぞれの弁構造体に密封着座部を有し流体を案内する制御ハウジング胴部を採用しているため、弁を作動するに必要な力を得るために要する費用を大幅に低減可能である。
中間ハウジングは連結側と反対側において一様の連結インターフエース部を有する。従つてこのような中間ハウジングは例えば、主胴部と密封着座部を有した流体を案内する制御ハウジング胴部との間に容易に挿入可能である。一様に設計された連結側を有することにより、流体を案内する同制御ハウジング胴部も主胴部上に直接装着可能になる。
別の好ましい変更構成によれば、流体を案内する部品用の制御ハウジング胴部が、連結側と対向する側で駆動部品あるいはパイロツト弁部品と選択的に自由に組み合わせ可能な一様の連結インターフエース部を有する。従つてそれぞれの弁を製造する際の設計変更の可能性が大幅に増大され、且つ必要な標準モジユールの数が低減される。
主胴部は好ましくは一本の管をプレス成形型内に配置し押型を用いて変形することにより作られ、管の両端部には管状の連結ポートが具備され、また弁胴部の床部に相当する管の片側で内側に押圧され、中間部が両端部間に形成され、プレス成形型の対向面を用いて管の対向側で管の壁部に平坦部が形成され、この結果平坦部と対向して２個の流体案内面が形成され得、流体案内面は連結ポートにより定まる軸方向から始まり、軸方向内側へ且つ同時に平坦部へ向けられ、更に平坦部と対向する共通のリブ部で共に収束し、リブ部と対向する管の変形壁部の、平坦部に相当する部分に連結インターフエース部が形成される。
本発明の別の好ましい実施態様は添付の請求の範囲に包有される。
本発明は図面に沿い実施例に従つて詳述する。
【図面の簡単な説明】
図１はモジユラー式弁構造体の流体案内弁部品の主胴部の長手方向の断面図、図２は図１の主胴部の平面図、図３は連結フランジを有する主胴部の長手方向の、一部を切開いて示す斜視図、図４は図１〜図３に示す主胴部を備えたモジユラー式弁構造体の、共に組み合わせ可能なモジユールを示す図、図５は図１〜図３に示す主胴部を備えたサーボ作動で連結モジユラー着座式弁の部分断面図、図６は図１〜図３に示す主胴部を備えたサーボ作動で非連結モジユラー着座式弁の部分断面図、図７は図１〜図３に示す主胴部を用いて製造された直線ダイアフラムの軸方向に沿つて切断された断面図、図８は主胴部の別の実施態様の長手方向の断面図、図９は図８と異なる流体案内面を有し、流体案内制御ハウジング胴部が密封着座部と係合された状態の図８と同一種類の主胴部の断面図、図10は主胴部と流体案内制御ハウジング胴部との間に中間ハウジングが配置され、駆動部品が流体案内制御ハウジング胴部と係合して着座形弁を形成している図９と同様の一部を断面で示す側面図、図11は中間ハウジングを省略した着座形弁の、図10に相応する、一部を切開いて示す側面図、図12は図11の線Ｘ−Ｘに沿つて切断した断面図、図13は主胴部の床部の平面図である。
（発明を実施するための最良の形態）
図１〜図３はモジユラー式弁構造体の流体案内弁部品を形成する主胴部10の第１の実施例を示す。
入口部10ａおよび出口部10ｂを備えたこの主胴部10は一様の連結インターフエース部12を有し、この連結インターフエース部12に入口ダクト10a'と出口ダクト10b'との終端部が配置され、入口ダクト10a'は入口部10aから延び、且つ出口ダクト10b'は出口部10ｂに連続しておりリブ部24により入口部10ａから分離されている。以下に説明するような構成により、この一様の連結インターフエース部12が、異なる点があつても対応するように一様に設計された連結側を有する特徴を共有する異なる弁構成部品のいずれかと自由に選択的に連結可能に設けられる。
主胴部10は一本の管をプレス成形型内に配置し、プレス型押装置を用いて変形することにより、作成される。これにより一本の管の両端部が入口部10ａおよび出口部10ｂを有する管状の連結ポートに形成される。両端部の中間に配置される中間部10ｃは弁胴部の床部に相当する一本の管の片側で内部へ押し込まれ、一方一本の管の反対側で先ずプレス成形型の対向する面により管の壁部に平坦部が形成され、この結果連結ポート部により区画される軸方向から始まり、軸方向内側に同時に平坦部へ向けられ、平坦部と対向する共通リブ部24で収束する２個の平坦な流体案内面16、18が形成される。一様の連結インターフエース部12は一本の管の変形された壁部の、平坦部に相応する部分でリブ部24と対向するよう形成される。しかして図１および図２に示す実施例では、平坦にされた部分において円形デイスク状に壁部が切り抜かれ、これにより平坦部に連結インターフエース部12をなす開口部26のリム部としての環形カラー部22のみが残り、開口部26は平面から見て円形になる（図２参照）。この開口部26によりリブ部24を見ることができ、リブ部24は図２に示すように一本の管の軸を横断し延び開口部26のリム部の両端部で円滑に交わる。図３の斜視図から明らかなように、リブ部24は凹状に湾曲されるが平坦な密封面24ａを有している。
好ましくは金属製の主胴部10を完成するため、環形カラー部22の外径に相当する開口部を有した矩形で管状の連結フランジ28は、環形カラー部22の周囲に装着され、好ましくは溶接継目部30により適所に固定される。
図４にはモジユラー式弁構造体の異なる構成部品が図示され、構成部品には図１〜図３の主胴部10と、自由に選択的に採用される異なる駆動部品60と、更に一様の設計の連結側12’を介し主胴部10の一様の連結インターフエース部12と連結可能な上述した異なる弁構成部品（必要の場合に利用可能に組み合わせ使用できる）とが包有される。
図４には、このような異なる弁構成部品に関し、密封着座部62を有する弁部品50と、センサを収納する中間ハウジング70が図示されている。基本的には好適な設計で一様に設計された連結側を有する別の弁構成部品を設けることができる。中間ハウジング70は特に、ダクト分岐可能、サンプル収集可能、材料導入可能あるいは計測可能に設計され、このときこの中間ハウジングは、必要に応じ含ませることができる。
流体を案内するハウジング胴部50、あるいは中間ハウジング70は、主胴部10の一様な連結インターフエース部12と選択的に連結可能である。従つて２個の異なる弁構成部品50、70には一様に設計された連結側12’が設けられ、この連結側12’は主胴部10の一様の連結インターフエース部12と適合あるいは一致するように設けられている。この場合異なる弁構成部品50、70はそれぞれ一様に設計された２個の連結開口部52、54；72、74を有している。流体を案内する管状のハウジング胴部50には、２個の連結開口部52、54が２個のダクトとして構成され、連結開口部52を有したダクトは流体を案内する弁構成部品50とハウジング胴部50に装着されるそれぞれの駆動部品60のハウジング48との間に区画され、環形空間46内に開口している。流体を案内するハウジング胴部50内に設けられた密封着座部62は環形空間46により外囲され、連結開口部54を有する別のダクトが環形空間46内に開口している。
中間ハウジング70の場合、２個の連結開口部72が２個の直線貫通ダクトに形成され、ダクト内には例えばセンサが装着されるか、連結機能が併有され得る。
これら部分の中間ハウジング70は連結側12’と対向する側に一様の連結インターフエース部14を有している。流体を案内する制御ハウジング胴部50の、連結側12’と反対側には、駆動部品60あるいはパイロツト弁部品と自在に組み合わせ可能にされる一様の連結インターフエース部15が形成されている。
しかして着座形弁をモジユラー式構成にする図４の構成部品の場合、中間ハウジング70が主胴部10と流体を案内する制御ハウジング胴部50との間に装着されるか、あるいは流体を案内する制御ハウジング胴部50が主胴部10に直接装着可能である。流体を案内する制御ハウジング胴部50の、主胴部10から離間し且つ対向する一様の連結インターフエース部15上では、駆動部品60が直接装着可能に、あるいは所望の場合パイロツト弁部品が装着可能にされる。一旦弁が組み立てられると、一様に構成された連結開口部52、54；72、74および異なる弁構成部品50、70は、主胴部10の、一様の連結インターフエース部12で開口する連結ダクトとそれぞれ整合され、この連結ダクトは同時にリブ部に密封部を介し互いに分離されて配置されている。
図５にはサーボ駆動を介して連結される着座形弁のモジユラー式構造が示され、この場合図１〜図３に示す主胴部10が再び採用されることが好ましい。
流体を案内する制御ハウジング胴部76は主胴部10の流体案内面16、18と対向する連結フランジ28と連係して装着される。流体を案内する制御ハウジング胴部76には２個の連結ダクト100、102が設けられ、連結ダクト100、102は一様の連結側12’に２個の連結開口部を有し、連結開口部は主胴部10の連結ダクト10a'、10b'と整合され、且つ連結ダクトはリブ部24により互いに分離され、その終端部は一様の連結インターフエース部12に配置される。密封リング68により、主胴部10の一様の連結インターフエース部12の開口部26のリム部をなす環形カラー部22により密封作用が与えられる。別の密封部69によつて、リブ部24と隣接し密封作用が保証される。
ダイアフラム装置82は流体を案内する制御ハウジング胴部76と主胴部10から離間して対向する一様の連結インターフエース部15と係合して装着されるパイロツト弁部品78との間に配設され、流体を案内する制御ハウジング胴部76の中央の円筒状密封着座部80と協働可能に設けられる。ダイアフラム装置82は中央部品90を有し、中央部品90の周囲の適所にダイアフラム84が固定され、ダイアフラム84は外周部が制御ハウジング胴部76とパイロツト弁部品78との間に形成された環形溝88に受容されるビード付き縁部86を有している。中央部品90にはパイロツトダクトとして機能する軸方向穴92が形成される。制御ハウジング胴部76の連結ダクト100は環形空間104内に開口し、環形空間104はダイアフラム84と流体を案内する制御ハウジング胴部76との間に区画される。この環形空間104により円筒状の密封着座部80が外囲され、この空間部に別の連結ダクト100も開口せしめられている。
ダイアフラム装置82の中央部品90はパイロツト弁部品78のベロー94を介してパイロツト弁部品78に装着された磁気駆動部品98と連結される。従つて図示のモジユラー式弁構造は密封着座部80とこれと協働するダイアフラム装置82の磁気力により駆動される実行程動作を有するパイロツト弁を構成している。
これにより図５に示すモジユラー式弁構造体の場合、流体を案内する制御ハウジング胴部76が、一様に設計された連結側12’を介し主胴部10の一様の連結インターフエース部12と連結され、一方連結側12’と反対側では流体を案内する制御ハウジング胴部76が再び本発明によれば、装着した制御弁部品78と連係する一様の連結インターフエース部15を有している。
図６の実施態様においては、モジユラー式弁構造体がサーボ駆動で非連結にされた着座形弁として構成される。
主胴部10上にはまた、中央で円筒状の密封着座部80および２個の連結ダクト100、102を有する制御ハウジング胴部76’が装着される。主胴部10の一様の連結インターフエース部12に対し一様に構成された連結側12’を有し流体を案内する制御ハウジング胴部76’の連結、および環形カラー部22とリブ部24と隣接する密封効果が図５の実施例の場合と同じ方法で行われ得る。
一方本実施例では、別のパイロツト弁部品78’が流体を案内する制御ハウジング胴部76’の、主胴部10から離間して対向する一様な連結インターフエース部15と係合して装着され、この弁部品78’によりパイロツト動作が磁石の接極子から切断される。
ダイアフラム装置82は図５の実施例と同様に流体を案内する制御ハウジング胴部76’と、一様な連結インターフエース部15と係合して装着されるパイロツト弁部品78’との間に配置される。一方ダイアフラム装置82は上述した構成の場合と異なる構成をもつて磁石接極子と直接連結されていない。
従つて図６に示されるサーボ駆動で非連結にされた着座形弁の場合、図５で示す実施例の場合と同一の主胴部10を利用可能であり、流体を案内する制御ハウジング胴部76’は一様の連結インターフエース部12と直接連結され、制御ハウジング胴部76’もまた一様に構成された連結側12’を有し、連結ダクト100、102を有する２個の連結開口部を備え、連結ダクトは他の点で異なる設計の他の弁構成部品と同様一様に構成される。流体を案内する制御ハウジング胴部76’の、連結側12’と対向する側には、この流体を案内する制御ハウジング胴部76’をパイロツト弁部品若しくは本例の場合駆動部品をパイロツト弁部品78’と自由に組み合わせ可能にするような一様の連結インターフエース部15が具備されている。
更に図１〜図３に示す主胴部10は特に図７に示す種類の直線ダイアフラム弁の一部として好適である。この場合連結フランジ28と従来の駆動部品34（一部のみを図示）のハウジング32との間には、連結部品40を介し動作する駆動部品34の作動プランジヤ38に係合するダイアフラム36が固定されている。図７に示す閉鎖状態の場合、ダイアフラム36はリブ部24と密封当接して保持される。この状態で駆動部品34は作動されると共にバネ力により押し付けられている。駆動部品34が油圧により作動される場合、ダイアフラム36はリム部14から離間して移動される。次にこの弁は開放位置に置かれる。
この主として直線ダイアフラム弁もまた、高い駆動力が必要であるが、汚染された媒体に対する使用に適している。駆動力は、本発明の弁構造を用いて構成される着座形弁の場合、問題なく大幅に低減され、パイロツト弁を使用すると更に低減できる。本発明のモジユラー式弁構造体により、パイロツト弁を問題なく自在に使用可能である。
図８は特に着座形弁として好適な主胴部10の別の実施例を示している。上述の実施例と同様の部品には上述した実施例と同一の参照番号を付して示してある。図１〜図３に示す実施例と異なる図８の主胴部10の場合、リブ部24が平坦部20の内側へと押し付けられ、番号25に示す部位にハンダ付けあるいは溶接されて密封される。また平坦部20においては２個の開口部42、44が互いに同一距離離間されて配置され、これにより主胴部10の一様の連結インターフエース部12が形成される。
図９〜図13には着座形弁用の本発明によるモジユラー式弁構造体の各種の変更例が示され、主胴部10は図８の構成のもとと僅かに異ならされている。
図８の構成の場合と同様に、本実施例によるモジユラー式弁構造体の最終段に述べる弁変更例の主胴部10は壁部を備え、この壁部が対向する平坦部20に当接するまで圧入され、平坦部20と溶接あるいはハンダ付けされて密封される。また２個の分離した開口部42、44が平坦部20に配置され、一様の連結インターフエース部12を形成し、これらの開口部も所望に応じ楕円形にできる。一方流体案内面16は上述した実施例の場合に比し幾分急峻な角度で延びる。更に流体案内面18は僅かに変更される。即ち流体案内面18は断面を有する連結ポート102から始まり、次に湾曲点に達し、更に平坦な断面となり、再び急峻な傾斜を有する部分となる。
図９に示す変更例としてのモジユラー式弁構造体においては、矩形で管状の流体を案内する制御ハウジング胴部50が主胴部10の平坦部20に係合され、この平坦部20は流体案内面16、18と対向し連結フランジを構成している。主胴部10には２個のダクト52、54が具備され、これらのダクトは主胴部10の一様の連結インターフエース部12を構成する開口部42、44と整合される。一方主胴部10の開口部42、44は一様の連結インターフエース部12を構成し、流体を案内する制御ハウジング胴部50のダクト52、54はまた密封着座部62を有し、ダクト52、54により、一様に設計された連結側12’に設けられる連結開口部の位置が設定され、これらの連結開口部は他の点で設計を異なるようにできる他の弁構成部品の連結開口部に対し、一様に構成される。ダクト52、54はそれぞれ密封リング106、108により外囲される。
流体を案内する制御ハウジング胴部50が、主胴部10の対応する連結インターフエース部12と連係される一様の連結側12’を有し、対向側に一様の連結インターフエース部15を有していて、連結インターフエース部15を介し所望ならば特に油圧あるいは電気駆動部品あるいはパイロツト弁部品と組み合わせることができる。
図11（また図10も）に示す本発明の実施例においては、磁気駆動部品60の連結フランジ58が流体を案内する制御ハウジング胴部50のこの一様の連結インターフエース部15と連係され、密封作用が中間に配置された密封リブ110により与えられる。且つ実施例の場合、制御ハウジング胴部50は図９による実施例のものと僅かに異なる。従つて更に詳しくはダクト54はテーパ付けされて構成される。
本発明のモジユラー式弁構造体を具現化する図11の着座形弁においては、密封着座部62を有し、流体を案内する制御ハウジング胴部50のダクト52が環形空間56内に開口し、この環形空間は流体を案内する管状の制御ハウジング胴部50と制御ハウジング胴部50の連結インターフエース部15と係合される磁気駆動部品60の連結フランジ58との間に区画される。環形空間56により密封着座部62が外囲され、環形空間56内にテーパ付けされたダクト54が開口されている。磁気駆動部品60により作動される閉鎖部材64は密封着座部62と協働する。
主胴部10は保持手段としてのケーシング66により外囲され、ケーシング66はまた流体を案内する制御ハウジング胴部50をもカバーする。従つてこの部品も、図10の線Ｘ−Ｘに沿つて切断した断面図を示す図12に詳示するように、主胴部10上に流体を案内する制御ハウジング胴部50を付着するよう機能する。図13は以下の説明から明らかなように図11の弁構成を示す。
図10に示す変更構成の場合、管状の中間ハウジング70は流体を案内する管状の制御ハウジング胴部50と主胴部10との間に付設され、これらの制御ハウジング胴部および主胴部は上述した実施例の場合と同様に構成される。この中間ハウジング70には２個の貫通ダクト72、74が具備され、これらダクトは主胴部10の開口部42、44に整合され、且つ密封着座部62を有する流体を案内する制御ハウジング胴部50のダクト52、54と接合される。
図４で既述のように、この中間ハウジング70のため、センサ、ダクト分岐手段、サンプルを収集したり材料を付加したりする手段、あるいは計測手段を収納可能となる。センサの場合、例えば圧力、流量ないしは温度のセンサである。
中間ハウジング70は又連結側12’を有し、連結側12’は他の弁構成部品のものと一様に構成され、中間ハウジング70は連結側12’を介して主胴部10の一様の連結インターフエース部12と連結可能である。更に詳述するに、中間ハウジング70の連結側12’は特に密封着座部62を有した流体を案内する制御ハウジング胴部50のものと一様である。従つて所望ならば弁構成部品70も省略でき、図９、図11および図12の場合のような流体を案内する制御ハウジング胴部50は連結側12’を介し主胴部10の一様の連結インターフエース部12と直結出来る。
本発明のモジユラー式弁構造体によれば、主胴部10をパイプシステムから取り外すことなく、中間ハウジング70および密封着座部を有した制御ハウジング胴部を設置あるいは取り外すことも可能である。一方従来の型の弁の密封着座部は弁胴部の内側に形成され、例えばセンサ等の取付・取外の際には弁胴部は常にパイプシステムから取り外す要がある。
弁とそれぞれのパイプシステムとの連結は例えば、ネジ、接着、溶接あるいはスリーブにより行うことが出来る。弁駆動部として、直接作用する油圧あるいは電気モータを設けたり簡便な手動駆動部品を設けることができる。
主胴部は、特にステンレススチールあるいは真ちゆうのような金属材料で作られることが好ましいが、原理的にはプラスチツクでも作ることも可能である。主胴部のリブ部は好適な一本の管を成形して作ることが好ましいが、基本的にはデイスクはリブ部として一本のパイプ内に嵌入することもでき、この場合リブ部は溶接により管ハウジングと連結されることが好ましい。
【図１】
0003782827.tif 000002
【図２】
0003782827.tif 000003
【図３】
0003782827.tif 000004
【図４】
0003782827.tif 000005
【図５】
0003782827.tif 000006
【図６】
0003782827.tif 000007
【図７】
0003782827.tif 000008
【図８】
0003782827.tif 000009
【図９】
0003782827.tif 000010
【図１０】
0003782827.tif 000011
【図１１】
0003782827.tif 000012
【図１２】
0003782827.tif 000013
【図１３】
0003782827.tif 000014